(57)【要約】【課題】目地幅の誤差にかかわらず、一定の止水性能が発揮できる外壁パネルの乾式目地構造を提供することを目的とする。【解決手段】隣接する外壁パネル３間に形成される目地２を止水する乾式目地構造であって、外壁パネル３の側縁部３ａに沿って設けられた溝部３ｂを有する外壁パネル３と、隣接する外壁パネル３のそれぞれの溝部３ｂに挿設されるガスケット７からなり、ガスケット７は外壁パネル間の目地を覆う中央部７ａと外壁パネルの溝部３ｂに挿設される係合部７ｂとからなっていることを特徴とする外壁パネルの乾式目地構造１によって解決される。【選択図】    図１
2007303175.tif 000002
【特許請求の範囲】
【請求項１】
隣接する外壁パネル間に形成される目地を止水する乾式目地構造であって、
該外壁パネルの側縁部に沿って設けられた溝部を有する外壁パネルと、
隣接する該外壁パネルのそれぞれの溝部に挿設されるガスケットからなり、
該ガスケットは外壁パネル間の目地を覆う中央部と前記外壁パネルの溝部に挿設される係合部とから構成されていることを特徴とする外壁パネルの乾式目地構造。
【請求項２】
前記外壁パネルがフレームとコンクリート材により構成されるＰＣａ版からなり、
前記溝部がフレームとコンクリートからなることを特徴とする請求項１に記載の外壁パネルの乾式目地構造。
【請求項３】
前記外壁パネルがフレームと該フレームに固定された外壁面材からなり、
フレームと外壁面材間に介設された下地材と、外壁面材側部とにより前記溝部が形成されている請求項１に記載の外壁目地構造。
【発明の詳細な説明】
【技術分野】
【０００１】
本発明は、外壁パネルの目地防水構造に関する。
【背景技術】
【０００２】
従来より、シーリング材を使用しない定型のガスケットを用いた乾式目地工法はいろいろ提案されている。しかし、目地に挿入するガスケットが定型であるため、目地幅に誤差が発生した場合、ガスケットの止水性能に影響を与えたり、目地幅によってはガスケットが施工できないといった問題がある。
【０００３】
このため、目地幅に合わせて複数のガスケットを用意したり、あるいは目地幅に追従できる目地構造が提案されている。
【０００４】
また、ガスケットを施工しても、ガスケットの止水性能は目地幅により影響されるため、十分な止水性能を有しているのか判断が難しい。
【０００５】
さらに、ＰＣａ版からなる外壁パネルの場合、外壁パネル製造時の型枠としても兼用される鋼製のフレームが用いられるが、初期段階にはコンクリート材とフレームは接着しているが、コンクリート材とフレームとの材料物性の違いから経年変化や温度変化により、コンクリート材とフレームとの界面に亀裂が発生し、その部分から水が侵入し漏水の原因となることがある。
【特許文献１】特開平６−１６７０６０号公報
【発明の開示】
【発明が解決しようとする課題】
【０００６】
本発明は、上記のような問題点に鑑み、目地幅の誤差にかかわらず、一定の止水性能が発揮できる外壁パネルの乾式目地構造を提供することを目的とする。
【課題を解決するための手段】
【０００７】
上記の課題は、隣接する外壁パネル間に形成される目地を止水する乾式目地構造であって、
該外壁パネルの側縁部に沿って設けられた溝部を有する外壁パネルと、
隣接する該外壁パネルのそれぞれの溝部に挿設されるガスケットからなり、
該ガスケットは外壁パネル間の目地を覆う中央部と前記外壁パネルの溝部に挿設される係合部とから構成されていることを特徴とする外壁パネルの乾式目地構造により解決される。
【０００８】
この乾式目地構造では、外壁パネルの側縁部に沿って設けられた溝部を有する外壁パネルにより形成された目地に対して、外壁パネル間の目地を覆う中央部と前記外壁パネルの溝部に挿設される係合部とから構成されているガスケットが外壁パネルのそれぞれの溝部に挿設されるため、外壁パネルに設けられた溝部の形状の一定のところにガスケットを挿設するため、ガスケットは常に所定の止水性能を発揮することができ、外壁パネル間の目地幅にかかわらず、常に所定の止水性能を発揮することができる。
【０００９】
また、ガスケットは外壁パネル間の目地を覆う中央部を有しており、該中央部で外壁パネル間の目地幅の誤差を追従できるため、外壁パネル間の目地幅に誤差があっても、施工することができる。
【００１０】
また、前記外壁パネルがフレームとコンクリート材により構成されるＰＣａ版からなり、
前記溝部がフレームとコンクリートからなる外壁パネルの乾式目地構造であればよい。
【００１１】
外壁パネルがＰＣａ版の場合、型枠としても用いられるフレームとコンクリートからなる材料物性の違いなどから界面に亀裂が発生場合があるが、亀裂が発生する表面側でガスケットにより止水を行うため、界面での亀裂が品質の劣化にあらず、安定した品質を確保できる。
【００１２】
また、前記外壁パネルがフレームと該フレームに固定された外壁面材からなり、
フレームと外壁面材間に介設された下地材と、外壁面材側部とにより前記溝部が形成されている外壁パネルの乾式目地構造であればよい。
【００１３】
この場合も、外壁パネルに設けられた溝部の形状の一定のところにガスケットを挿設するため、ガスケットは常に所定の止水性能を発揮することができ、外壁パネル間の目地幅にかかわらず、常に所定の止水性能を発揮することができるとともに、ガスケットは外壁パネル間の目地を覆う中央部を有しており、該中央部で外壁パネル間の目地幅の誤差を追従できるため、外壁パネル間の目地幅に誤差があっても、施工することができる。
【発明の効果】
【００１４】
本発明の外壁パネルの乾式目地構造は、以上のとおりのものであるから、目地幅に誤差が生じた場合でも、ガスケットの防水性能に影響を与えることなく、安定した防水性能を有する乾式目地構造を提供することができる。
【発明を実施するための最良の形態】
【００１５】
次に、本発明の実施最良形態を図面に基づいて説明する。
【００１６】
図１に示す実施形態の外壁パネルの乾式目地構造１は、隣接するＰＣａ版からなる外壁パネル３、その間に形成される目地２及びガスケット７からなり、４は外壁パネル３を構成する外壁材としてのコンクリート、５は外壁パネル３を構成する鋼製フレーム、８は塗装フィルムである。
【００１７】
外壁パネル３は、側縁部３ａに平面視Ｌ型の鋼材からなる鋼製フレーム５が側縁に沿って配設されている。溝部３ｂは鋼製フレーム５に沿って、鋼製フレーム５の外壁パネルの側縁部を形成する面とコンクリート４からなり、外壁パネルの周囲に設けられている。
【００１８】
外壁パネル３は次のようにして製造される。図２に示すように、定盤１１上に外壁パネルを構成するアングルからなるフレーム５をアングルの一方の端部が定盤１１に接するように載設する。外壁パネル３の溝部となる位置、つまりフレーム５の内側であって、定盤１１と接する箇所には、溝部３ａと同じ形状の型材１０を設ける。フレーム５は外壁パネル３のフレームとして、定盤１１上に載設されるが、製造時にはコンクリート打設のための型枠として機能する。コンクリートの打設硬化後、定盤１１上から外壁パネル３をフレーム５ごと取り外した後、型材１０を取り外すことで、ＰＣａ版からなる外壁パネル３は完成する。
【００１９】
外壁パネル３の建物躯体への取り付けは、フレームに取り付けられたナット６を介して、建物の構造躯体である梁に取り付けられる。このとき、パネルの製作精度、躯体の施工精度などさまざまな原因により、外壁パネル間の目地２の目地幅は誤差を生じる。
【００２０】
ガスケット７は、図１（イ）（ロ）に示すように、外壁パネル３の溝部に挿設される。ガスケット７は、目地２を覆う中央部７ａとその中央部７ａと屈曲して接続する２本の係合部７ｂと中央部７ａから係合部７ｂを介して側方へ伸びる端部７ｃとからなる。係合部７ｂは外壁パネル３の溝部３ｂに挿設され、溝部３ｂの側部に付勢して止水するための付勢構造としての矢形状のリップが多段的に設けられている。中央部７ａは係合部７ｂの伸びる側と同じ方向へ湾曲しており、端部７ｃは中央部７ａとの接合部より係合部７ｂの伸びる側と同じ方向へ傾斜して接続される。
【００２１】
図３（イー１）、（イー２）に示すように、隣接する外壁パネル３の間隔が狭く、目地２の目地幅寸法が狭いときは、ガスケット７の中央部７ａが大きく湾曲して目地幅の誤差を吸収し、ガスケット７の係合部７ｂは確実に溝部３ｂへ挿設される。また、図３（ロー１）、（ロー２）に示すように、隣接する外壁パネル３の間隔が広く、目地２の目地幅寸法が広いときは、ガスケット７の中央部７ａが伸びた状態で目地幅の誤差を吸収し、ガスケット７の係合部７ｂは確実に溝部３ｂへ挿設される。
【００２２】
目地２の目地幅が狭い場合も広い場合も、いずれの場合であってもガスケット７の中央部７ａが目地２の誤差を吸収し、ガスケット７の係合部７ｂを確実に外壁パネル３の溝部３ｂに挿設させることができ、目地幅の誤差によって目地の止水性能が変わることはなく、常に一定の止水性能を確保することができる。
【００２３】
また、外壁パネル表面部に塗装フィルム８を貼り付ける場合、塗装フィルム端部を溝部３ｂまで貼り伸ばし、そこへガスケットを挿設することで、塗装フィルム８の端部からのはがれを防止することができる。
【００２４】
図４に本発明の第２の実施形態を示す。図４（イ）（ロ）において１２は外壁面材、１３は外壁パネルのフレーム、１４は外壁面材の位置決め材を兼ねた下地材、１５は、下地材１４をフレーム１３に固定するビスである。
下地材１４は、フレームに接して取り付けられる本体部４ａの端部から垂直に進出する目地係合部１４ｂと面材を取り付ける際、位置合わせのあてとなる位置決め部１４ｃとからなる。
【００２５】
外壁パネル３の製造は、フレーム１３に下地材１４をビス１５で取り付け、下地材１４ｃを位置決めとして外壁面材３を図示しない、固定金物でフレーム１３に固定することにより行われる。
【００２６】
ガスケット７の取り付けは、外壁面材１２の側部１２ａと下地材１４の目地係合部１４ｂとで形成させる溝部３ｂに挿設させることで行われる。
【００２７】
本実施形態においても、目地２の目地幅が狭い場合も広い場合も、いずれの場合であってもガスケット７の中央部７ａが目地２の誤差を吸収し、ガスケット７の係合部７ｂを確実に外壁パネル３の溝部３ｂに挿設させるこができ、目地幅の誤差によって目地の止水性能が変わることはなく、常に一定の止水性能を確保することができる。
【００２８】
以上に、本発明の実施形態を示したが、本発明はこれに限られるものではなく、発明思想を逸脱しない範囲で各種の変更が可能である。例えば、外壁パネルとしてＰＣａ版からなる場合や、フレームに外壁面材を固定した場合を示したが、本外壁パネルの止水構造はこれらに制限されることなく、各種の外壁パネルにも適用される。
【００２９】
また、ガスケットの形態についても制限はなく、実施形態で示した他各種の物が可能であり、その一例を図５に示す。（イ）は中央部７ａが係合部７ｂと反対側へ湾曲しており、（ロ）は中央部７ａが蛇腹状になっており、（ハ）は中央部７ａが係合部７ｂの側に湾曲しているとともに、分割された中央部７ａが係合部７ｂと中央部７ａとの接点より、それぞれ他方の接点側へ伸出しており、外部の意匠が目地幅にかかわらず、一定に見えるようになされている。
【図面の簡単な説明】
【００３０】
【図１】本実施形態を示す図であって、図（イ）は断面平面図、図（ロ）はガスケットの断面平面図、図（ハ）は要部拡大断面平面図、（ニ）は分解断面平面図である。
【図２】図は外壁パネルの製造状況を示す斜視図である。
【図３】図（イー１）、（イー２）は目地幅の狭い場合のガスケットの取り付け状況を示す断面平面図、図（ロー１）、（ロー２）は目地幅の広い場合のガスケットの取り付け状況を示す断面平面図である。
【図４】第２の実施形態を示す図であって、（イ）は断面平面図、（ロ）は分解断面平面図である。
【図５】（イ）（ロ）（ハ）は、それぞれガスケットの他の形態を示す断面図である。
【符号の説明】
【００３１】
１・・・外壁パネルの目地構造
２・・・目地
３・・・外壁パネル
３ａ・・・側縁部
３ｂ・・・溝部
４・・・コンクリート
５・・・フレーム
７・・・ガスケット
１２・・・外壁面材
１４・・・下地材
【図１】
2007303175.tif 000003
【図２】
2007303175.tif 000004
【図３】
2007303175.tif 000005
【図４】
2007303175.tif 000006
【図５】
2007303175.tif 000007